(57)【要約】【課題】  ポップアップ式見開き体を開いた際に形成される立体物と、ポップアップ式見開き体の内部に設けられたホログラムとが相互に関連して装飾的な相乗効果を生じるようにして、開封時に形成される立体物の立体感をホログラムで補なうことができ、開いた者に強い印象を与えられるように構成されたポップアップ式見開き体を提供する。【解決手段】  折り畳み用シートと、前記折り畳み用シートが折り畳まれる内側に設けられ、前記折り畳み用シートが見開かれた際に前記折り畳み用シートの内側に立体形状を形成する立体組み立て用シートとを有するポップアップ式見開き体において、前記折り畳み用シートが折り畳まれた際に、下側となるシートの上側にホログラムが設けられ、前記立体組み立て用シートには、前記ホログラムに対して外部から光を入射するための入光用窓と、外部から前記ホログラムをのぞき見るためののぞき窓とが設けられていることを特徴とする。【選択図】        図２
2005288926.tif 000002
【特許請求の範囲】
【請求項１】
折り畳み用シートと、前記折り畳み用シートが折り畳まれる内側に設けられ、前記折り畳み用シートが見開かれた際に前記折り畳み用シートの内側に立体形状を形成する立体組み立て用シートとを有するポップアップ式見開き体において、
前記折り畳み用シートが折り畳まれた際に、下側となるシートの上側にホログラムが設けられ、前記立体組み立て用シートには、前記ホログラムに対して外部から光を入射するための入光用窓と、外部から前記ホログラムをのぞき見るためののぞき窓とが設けられていることを特徴とするポップアップ式見開き体。
【請求項２】
前記ポップアップ式見開き体が、郵送媒体であることを特徴とする請求項１記載にポップアップ式見開き体。
【発明の詳細な説明】
【技術分野】
【０００１】
本発明は、開いた時に立体物が飛び出すように現れるポップアップ式見開き体に関し、特にホログラムを有し、開封時に形成される立体物の立体感をホログラムで補なうことができるポップアップ式見開き体に関する。
【背景技術】
【０００２】
従来、折り畳まれているシートの間に、そのシートを開いた際に立体物が形成されるように折り畳まれている立体形成用のシートを内蔵させてなるポップアップ式の見開き体が、ポップアップ式カード、ポップアップ式メールフォーム、ポップアップ式絵本などとして用いられ既に公知となっている。（例えば、特許文献１乃至４、参照）
【０００３】
これらのポップアップ式見開き体は、これを開いた際に立体的な装飾が現れるので、誕生日祝い、クリスマス、年賀のような祝い事などの際に、お祝い用のカードとして郵送したり、郵便封書などのメールフォームとして郵送したりするなどして用いられることが多い。
また、ポップアップ式見開き体を開いた際に、より装飾効果を出すために立体的な装飾と共に華やかな絵柄が描かれていたり、種々のデザインを有するホログラムなどが設けられているものなどがある。
【０００４】
特に、ポップアップ式見開き体の内部にホログラムが施されている場合には、これを開いた際に立体物が飛び出すと共に、きらびやかに光輝くホログラムの画像が、開いた者の目に飛び込んでくるので、このようなポップアップ式見開き体を受け取った者に対して、より華やかな印象を与えるなどの効果がある。
しかしながら、このようなホログラムを有するポップアップ式見開き体において、一般的にホログラムが設けられるのは、ポップアップ式見開き体が開かれた側のシートに設けられている場合が多く、ホログラム内に立体画像として描かれている画像と、形成される立体物との相乗効果が効果的に生かされてないという問題がある。
【０００５】
つまり、ポップアップ式見開き体を入手した者が、ポップアップ式見開き体を開いた際において、それを見る者がシート間の立体物に注目するために、形成される立体物とホログラムとがこれを見る者の目に同時に飛び込んでこないと、立体物とホログラムとの相乗効果が最大限に生かされないという問題がある。
更に、ポップアップ式見開き体にホログラムを設けた場合には、それを見る者の位置や、光源の位置や角度によってホログラムの立体画像の立体感や色彩などが異なってくる。
このため、ホログラムの性質を知らない幼稚園児や小学生などの子供は、どのような状態でホログラムを眺めたら効果的であるのかについて、わからない場合があり、せっかくポップアップ式見開き体にホログラムを設けたとしてもホログラム本来の効果が生かせないという問題もある。
【特許文献１】実開平７−２７６９９号公報
【特許文献２】特開平７−２２８０７８号公報
【特許文献３】特開２０００−１４１９５４号公報
【特許文献４】特開２００１−３０６６１号公報
【発明の開示】
【発明が解決しようとする課題】
【０００６】
本発明は、内部にホログラムを有するポップアップ式見開き体において、ポップアップ式見開き体を開いた際に形成される立体物と、ポップアップ式見開き体の内部に設けられたホログラムとが相互に関連して装飾的な相乗効果を生じ、開封時に形成される立体物の立体感をホログラムで補なうことができるようにして、これを開いた者に対して強い印象を与えられるように構成され、また、たとえポップアップ式見開き体を開封する者が、子供などの年少者であっても、ホログラムにより表示された画像を効果的な状態で眺めることができるようにしたポップアップ式見開き体を提供する。
【課題を解決するための手段】
【０００７】
本発明のポップアップ式見開き体は、折り畳み用シートと、前記折り畳み用シートが折り畳まれる内側に設けられ、前記折り畳み用シートが見開かれた際に前記折り畳み用シートの内側に立体形状を形成する立体組み立て用シートとを有するポップアップ式見開き体において、前記折り畳み用シートが折り畳まれた際に、下側となるシートの上側にホログラムが設けられ、前記立体組み立て用シートには、前記ホログラムに対して外部から光を入射するための入光用窓と、外部から前記ホログラムをのぞき見るためののぞき窓とが設けられていることを特徴とする。
【０００８】
また、本発明のポップアップ式見開き体は、前記ポップアップ式見開き体が、郵送媒体であることを特徴とする。
【発明の効果】
【０００９】
本発明のポップアップ式見開き体には、下側となるシートの上側に設けられたホログラムに対して、外部から光を入光するための光入光用窓と、外部からそのホログラムをのぞき見るためののぞき窓とが設けられた立体組み立て用シートを有しているので、利用者がポップアップ式見開き体を開いた際に、形成される立体物を見るのと同時に、立体組み立て用シートに設けられたのぞき窓を通してホログラムが見えるので、立体物とホログラムとによる装飾的な相乗効果が生じ、開封時に形成される立体物の立体感をホログラムで補なうことができるので、ポップアップ式見開き体を開いた者に華やかでインパクトのある強い印象を与えることができるという効果がある。
更に、ポップアップ式見開き体を開封する者が、子供などの年少者であっても、のぞき窓から内部を覗き込むだけでホログラムにより表示された立体画像を効果的な状態で眺めることができるという効果がある。
【００１０】
また、本発明のポップアップ式見開き体が郵送媒体であることにより、送り主から受け取り人に対して郵送により届けることができるという利便性がある。
【発明を実施するための最良の形態】
【００１１】
以下、本発明の実施の形態を図面に基づいて詳細に説明する。
図１は、本発明の実施形態に係るポップアップ式見開き体の斜視図、図２は、本発明の実施形態に係るポップアップ式見開き体の３方辺縁部を切り取り、開封した状態を示す斜視図、図３は、図２のＡ−Ａ線断面図、図４は、図３に示したポップアップ式見開き体の上方から見た平面図である。
【００１２】
本発明の実施形態に係るポップアップ式見開き体１は、図１に示すように２つ折りの封書からなる郵送媒体を構成している。
ポップアップ式見開き体１は、２つ折りされる矩形状の折り畳み用シート２に、折り畳まれる折り畳み用シート２の内側に設けられている立体組み立て用シート３が接着されて設けられている。
そして、矩形状の折り畳み用シート２は、２つに折り畳まれた状態で、その折り返し辺を除いた他の３辺縁部で接着され、更に、矩形状の折り畳み用シート２を開封する際に、接着された３辺縁部を切り取るための切り取りミシン４が形成され、この切り取りミシン４から２つに折り畳まれた矩形状の折り畳み用シート２の３辺縁部を切り取ることで、開封できるように構成されている。
折り畳み用シート２及び立体組み立て用シート３は、紙やプラスチックシートなどのシートを適宜使用することができる。
【００１３】
折り畳み用シート２の表面側には、ポップアップ式見開き体１を郵便封書として郵送するための宛名記載部などが設けられている。
また、２つに折り畳まれている矩形状の折り畳み用シート２の内側に設けられている立体組み立て用シート３は、図２に示すように、折り畳み用シート２の３辺縁部を切り取りミシン４で切り取り、２つ折りされた折り畳み用シート２を開封した際に、２つ折りされた折り畳み用シート２の内側に設けられている立体組み立て用シート３が立体形状を形成するように構成され内蔵されている。
【００１４】
したがって、立体組み立て用シート３は、折り畳み用シート２が開封される前の状態においては、２つ折りされた折り畳み用シート２の間に折り畳まれた状態であるが、切り取りミシン４から切り取って、２つ折りされた折り畳み用シート２を開封することで、立体が形成されるように構成されている。
【００１５】
そして、図２に示すように、立体組み立て用シート３は、第１の折り線５を介して底辺側シート部３ａと立ち上げ用シート部３ｂとに分けられ、また第２の折り線６を介して立ち上げ用シート部３ｂと横棚用シート部３ｃとに分けられ、更に第３の折り線７を介して横棚用シート部３ｃと背面接着用シート部３ｄとに分けられる。
そして、２つに折り畳まれている矩形状の折り畳み用シート２の折り畳まれた一辺から直角の状態に開いた場合に、立体組み立て用シート３の長手方向に対して設けられている各折り線により立体組み立て用シート３が折り込まれて、略４角形状の立体となるように構成されている。
【００１６】
つまり、折り畳み用シート２が２つに折り畳まれている状態において、立体組み立て用シート３は、第２の折り線６だけが鋭角に折り曲がり、他の折り線である第１の折り線５と第３の折り線７の部分とが折り曲がらないで伸びた状態で平面状態となる。
そして、折り畳み用シート２を開くことで、立体組み立て用シート３の第１の折り線５、第３の折り線７とが折れ曲がり、立体組み立て用シート３による立体形状が構成される。
このように立体組み立て用シート３は、２つに折り畳まれている矩形状の折り畳み用シート２を開封することで立体形状を形成する構造を有している。
【００１７】
そして、立体組み立て用シート３の底辺側シート部３ａは、折り畳み用シート２の下側シート部２ａに接着されており、また、立体組み立て用シート３の背面接着用シート部３ｄは、折り畳み用シート２の上側シート部２ｂに接着されている。
また、立体組み立て用シート３の底辺側シート部３ａの上側には、略中央付近にホログラムが施されているホログラムシール８が貼付されている。
ホログラムシール８には、種々の模様等の立体画像が施されている。
【００１８】
また、立体組み立て用シート３の立ち上げ用シート部３ｂの長手方向の中央付近には、矩形状ののぞき窓９が形成されていて、開封者が、２つに折り畳まれている折り畳み用シート２の一辺から直角の状態に開いた際に、のぞき窓９を通して立体組み立て用シート３の底辺側シート部３ａ上に貼付されているホログラムシール８を目視できるようにしてある。
のぞき窓９は、開封者がホログラムシール８を目視できる位置に設けてあればよく、矩形状以外の様々な形状で設けたり、また２つ以上ののぞき窓を設けるようにしてもよい。
【００１９】
また、立体組み立て用シート３の横棚用シート部３ｃにおける長手方向の中央付近には、ホログラムシール８に対して外部から光を入射するための入光用窓１０が形成されている。
この入光用窓１０は、立体組み立て用シート３の横棚用シート部３ｃと背面接着用シート部３ｄとの略中央の領域部分を楕円状に切り欠くことで形成されている。
【００２０】
図３に示すように、入光用窓１０は、開封者が２つに折り畳まれている矩形状の折り畳み用シート２を直角の状態に開いた際に、光源からの光が入光用窓１０を通してホログラムシール８に入射されるために設けられてあり、また、のぞき窓９は、開封者がのぞき窓９を通してホログラムシール８を目視できるようにするために設けられている。
図４に示すように、入光用窓１０は、立体組み立て用シート３の底辺側シート部３ａ上に貼付されているホログラムシール８に光が入射しやすいように、ホログラムシール８のサイズよりも広いサイズで形成しておくことが好ましい。
【００２１】
また、折り畳み用シート２と立体組み立て用シート３には、ポップアップ式見開き体の使用目的に応じて様々な印刷を施しておくことが好ましい。
特に、立体組み立て用シート３の立ち上げ用シート部３ｂに形成されているのぞき窓９の周囲表面には、図２に示すように花の写真を印刷したり、受取人の名前などをプリントするなどしておき、受取人が開封した時に好印象を与えられるようにしておくことが好ましい。
【００２２】
以上のように、構成された本発明のポップアップ式見開き体は、２つ折りされている矩形状の折り畳み用シート２の開封者が、これを開封した際に、立体組み立て用シート３により立体形状が形成されると同時に、形成された立体型の一部に設けられたのぞき窓からホログラムの立体画像が目に入るので、瞬間的なインパクトがあり強い印象を開封者に対して与えることができる。
【００２３】
したがって、本発明のポップアップ式見開き体により、様々な立体が形成される立体組み立て用シート３と、種々のデザインの立体画像を表示したホログラムとを適宜に組み合わせることで、従来のポップアップ式見開き体に比べてより開封時に印象深いインパクトを開封者に与えられるものである。
【００２４】
また、本発明のポップアップ式見開き体は、上記したような２つ折りされている矩形状の折り畳み用シート２の４周辺が接着された郵便封書に限らず、２つ折りされている矩形状の折り畳み用シート２の１辺で折り畳まれ、自由に開くことができる状態のグリーティングカードなどとして構成されていてもよく、その場合には、ポップアップ式見開き体を封筒などに入れて郵送するなどしてもよい。
【図面の簡単な説明】
【００２５】
【図１】本発明の実施形態に係るポップアップ式見開き体の斜視図である。
【図２】本発明の実施形態に係るポップアップ式見開き体の３方辺縁部を切り取った後に、開封した状態を示す斜視図である。
【図３】図２のＡ−Ａ線断面図である。
【図４】図３に示したポップアップ式見開き体の上方から見た平面図である。
【符号の説明】
【００２６】
１  ポップアップ式見開き体
２  折り畳み用シート
３  立体組み立て用シート
３ａ  底辺側シート部
３ｂ  立ち上げ用シート部
３ｃ  横棚用シート部
３ｄ  背面接着用シート部
４  切り取りミシン
５  第１の折り線
６  第２の折り線
７  第３の折り線
８  ホログラムシール
９  のぞき窓
１０  入光用窓
【図１】
2005288926.tif 000003
【図２】
2005288926.tif 000004
【図３】
2005288926.tif 000005
【図４】
2005288926.tif 000006